(57)【特許請求の範囲】
【請求項１】
電圧非直線性を発現する複数のバリスタ層を含む機能層が複数積層されて形成された積層体と、
互いに絶縁された状態で前記積層体の外表面にそれぞれ形成された第１〜第６の外部電極と、
前記積層体内に配されると共に前記第１の外部電極と電気的に接続された第１の内部電極と、
前記積層体内に配されると共に前記第２の外部電極と電気的に接続された第２の内部電極と、
前記積層体内に配されると共に前記第３の外部電極と電気的に接続された第３の内部電極と、
前記積層体内に配されると共に前記第４の外部電極と電気的に接続された第４の内部電極と、
前記積層体内に配されると共に前記第５の外部電極と電気的に接続された第５の内部電極と、
前記積層体内に配されると共に前記第６の外部電極と電気的に接続された第６の内部電極とを備え、
前記第１の内部電極と前記第３の内部電極とは、前記バリスタ層を介して互いに対向する第１の対向領域をそれぞれ有し、
前記第２の内部電極と前記第３の内部電極とは、前記バリスタ層を介して互いに対向する第２の対向領域をそれぞれ有し、
前記第４の内部電極と前記第６の内部電極とは、前記バリスタ層を介して互いに対向する第３の対向領域をそれぞれ有し、
前記第５の内部電極と前記第６の内部電極とは、前記バリスタ層を介して互いに対向する第４の対向領域をそれぞれ有し、
前記第１及び第２の内部電極が、前記複数のバリスタ層のうち一のバリスタ層に共に形成されており、
前記第４及び第５の内部電極が、前記複数のバリスタ層のうち前記一のバリスタ層とは異なる他のバリスタ層に共に形成されており、
前記第３の内部電極が、前記他のバリスタ層に更に形成されており、
前記第６の内部電極が、前記一のバリスタ層に更に形成されていることを特徴とする積層型バリスタアレイ。
【請求項２】
電圧非直線性を発現するバリスタ層を少なくとも一層含む機能層が複数積層されて形成されており、前記機能層の積層方向に沿う方向に拡がると共に互いに対向する第１及び第２の外表面を有する積層体と、
互いに絶縁された状態で前記第１の外表面にそれぞれ形成された第１〜第３の外部電極と、
互いに絶縁された状態で前記第２の外表面にそれぞれ形成された第４〜第６の外部電極と、
前記積層体内に配されると共に前記第１の外部電極と電気的に接続された第１の内部電極と、
前記積層体内に配されると共に前記第２の外部電極と電気的に接続された第２の内部電極と、
前記積層体内に配されると共に前記第３の外部電極と電気的に接続された第３の内部電極と、
前記積層体内に配されると共に前記第４の外部電極と電気的に接続された第４の内部電極と、
前記積層体内に配されると共に前記第５の外部電極と電気的に接続された第５の内部電極と、
前記積層体内に配されると共に前記第６の外部電極と電気的に接続された第６の内部電極とを備え、
前記第１の内部電極と前記第３の内部電極とは、前記バリスタ層を介して互いに対向する第１の対向領域をそれぞれ有し、
前記第２の内部電極と前記第３の内部電極とは、前記バリスタ層を介して互いに対向する第２の対向領域をそれぞれ有し、
前記第４の内部電極と前記第６の内部電極とは、前記バリスタ層を介して互いに対向する第３の対向領域をそれぞれ有し、
前記第５の内部電極と前記第６の内部電極とは、前記バリスタ層を介して互いに対向する第４の対向領域をそれぞれ有し、
前記第１及び第２の対向領域は、前記機能層の積層方向から見たときに前記第１の外表面と前記第２の外表面との間の中間位置と前記第１の外表面との間の領域に共に位置し、
前記第３及び第４の対向領域は、前記機能層の積層方向から見たときに前記中間位置と前記第２の外表面との間の領域に共に位置していることを特徴とする積層型バリスタアレイ。
【請求項３】
前記積層体は、複数のバリスタ層を含む機能層が複数積層されて形成され、
前記第１及び第２の内部電極が、前記複数のバリスタ層のうち一のバリスタ層に共に形成されており、
前記第４及び第５の内部電極が、前記複数のバリスタ層のうち前記一のバリスタ層とは異なる他のバリスタ層に共に形成されていることを特徴とする請求項２に記載された積層型バリスタアレイ。
【発明の詳細な説明】
【技術分野】
【０００１】
本発明は、積層型バリスタアレイに関する。
【背景技術】
【０００２】
従来から、複数のバリスタ層が積層されて形成されたバリスタ素体と、バリスタ素体の外表面に形成された第１〜第８の外部電極と、バリスタ素体内に配されると共に第１の外部電極と電気的に接続された第１の内部電極と、バリスタ素体内に配されると共に第２の外部電極と電気的に接続された第２の内部電極と、バリスタ素体内に配されると共に第３の外部電極と電気的に接続された第３の内部電極と、バリスタ素体内に配されると共に第４の外部電極と電気的に接続された第４の内部電極と、バリスタ素体内に配されると共に第５の外部電極と電気的に接続された第５の内部電極と、バリスタ素体内に配されると共に第６の外部電極と電気的に接続された第６の内部電極と、バリスタ素体内に配されると共に第７の外部電極と電気的に接続された第７の内部電極と、バリスタ素体内に配されると共に第８の外部電極と電気的に接続された第８の内部電極とを備え、第１の内部電極と第２の内部電極とは、バリスタ層を介して互いに対向する第１の対向領域をそれぞれ有し、第３の内部電極と第４の内部電極とは、バリスタ層を介して互いに対向する第２の対向領域をそれぞれ有し、第５の内部電極と第６の内部電極とは、バリスタ層を介して互いに対向する第３の対向領域をそれぞれ有し、第７の内部電極と第８の内部電極とは、バリスタ層を介して互いに対向する第４の対向領域をそれぞれ有する積層型バリスタアレイが知られている（例えば、特許文献１参照）。
【特許文献１】特開２０００−３３１８０５号公報
【発明の開示】
【発明が解決しようとする課題】
【０００３】
近年、電子機器の小型化を図るべく、実装基板上に実装される電子部品の小型化の要求が高くなってきている。
【０００４】
しかしながら、上記特許文献１に記載されたような従来の積層型バリスタアレイは、各内部電極の対向領域の２倍の数の外部電極を要するものであった。そして、これらの外部電極が互いに絶縁された状態でバリスタ素体の外表面に形成される必要があるから、ある程度のバリスタ素体の大きさを確保する必要があった。そのため、従来の積層型バリスタアレイでは、近年の電子部品の小型化の要求を満足させることが困難であった。
【０００５】
本発明は、従来よりも小型化を図ることが可能な積層型バリスタアレイを提供することを目的とする。
【課題を解決するための手段】
【０００６】
本発明に係る積層型バリスタアレイは、電圧非直線性を発現するバリスタ層を少なくとも一層含む機能層が複数積層されて形成された積層体と、互いに絶縁された状態で積層体の外表面にそれぞれ形成された第１〜第６の外部電極と、積層体内に配されると共に第１の外部電極と電気的に接続された第１の内部電極と、積層体内に配されると共に第２の外部電極と電気的に接続された第２の内部電極と、積層体内に配されると共に第３の外部電極と電気的に接続された第３の内部電極と、積層体内に配されると共に第４の外部電極と電気的に接続された第４の内部電極と、積層体内に配されると共に第５の外部電極と電気的に接続された第５の内部電極と、積層体内に配されると共に第６の外部電極と電気的に接続された第６の内部電極とを更に備え、第１の内部電極と第３の内部電極とは、バリスタ層を介して互いに対向する第１の対向領域をそれぞれ有し、第２の内部電極と第３の内部電極とは、バリスタ層を介して互いに対向する第２の対向領域をそれぞれ有し、第４の内部電極と第６の内部電極とは、バリスタ層を介して互いに対向する第３の対向領域をそれぞれ有し、第５の内部電極と第６の内部電極とは、バリスタ層を介して互いに対向する第４の対向領域をそれぞれ有することを特徴とする。
【０００７】
本発明に係る積層型バリスタアレイでは、第１の内部電極が第１の外部電極に電気的に接続され、第２の内部電極が第２の外部電極に電気的に接続され、第３の内部電極が第３の外部電極に電気的に接続され、第４の内部電極が第４の外部電極に電気的に接続され、第５の内部電極が第５の外部電極に電気的に接続され、第６の内部電極が第６の外部電極に電気的に接続されている。そして、第１の内部電極と第３の内部電極とは、バリスタ層を介して互いに対向する第１の対向領域をそれぞれ有し、第２の内部電極と第３の内部電極とは、バリスタ層を介して互いに対向する第２の対向領域をそれぞれ有し、第４の内部電極と第６の内部電極とは、バリスタ層を介して互いに対向する第３の対向領域をそれぞれ有し、第５の内部電極と第６の内部電極とは、バリスタ層を介して互いに対向する第４の対向領域をそれぞれ有している。そのため、第１〜第４の４つの対向領域に対して第１〜第６の６つの外部電極を備えていればよいこととなり、対向領域の２倍の数の外部電極が必要であった従来の積層型バリスタアレイに比べて外部電極の数を減らすことができる。その結果、外部電極の数が減った分だけ積層体の大きさを小さくすることができ、従来よりも積層型バリスタアレイの小型化を図ることが可能となる。
【０００８】
また、積層体は、複数のバリスタ層を含む機能層が複数積層されて形成され、第１及び第２の内部電極が、複数のバリスタ層のうち一のバリスタ層に共に形成されており、第４及び第５の内部電極が、複数のバリスタ層のうち一のバリスタ層とは異なる他のバリスタ層に共に形成されていることが好ましい。このようにすると、積層体を形成するために要するバリスタ層の数を減らすことができるため、積層型バリスタアレイをより小型化することが可能となる。
【０００９】
また、第３の内部電極が、他のバリスタ層に更に形成されており、第６の内部電極が、一のバリスタ層に更に形成されていることが好ましい。このようにすると、積層体を形成するために要するバリスタ層の数を更に減らすことができるため、積層型バリスタアレイを更に小型化することが可能となる。
【００１０】
また、積層体は、機能層の積層方向に沿う方向に拡がると共に互いに対向する第１及び第２の外表面を有し、第１〜第３の外部電極が第１の外表面に形成され、第４〜第６の外部電極が第２の外表面に形成されており、第１及び第２の対向領域は、機能層の積層方向から見たときに第１の外表面と第２の外表面との間の中間位置と第２の外表面との間の領域に共に位置し、第３及び第４の対向領域は、機能層の積層方向から見たときに中間位置と第１の外表面との間の領域に共に位置していることが好ましい。
【００１１】
このような積層型バリスタアレイは、ＺｎＯ等を主成分とするバリスタ層を少なくとも一層含む機能層が積層された積層体を形成後、積層体の外表面の所定領域に各外部電極となる導電性ペーストを転写して焼付け、その焼付け後の導電体に電気めっき（ここでは、例えばバレルめっき）を行うことで形成される。ところが、バリスタ層と、このバリスタ層上に形成されている各内部電極との界面に僅かな隙間があると共に、焼付け後の導電体が多数の細孔を有しているため、バレルめっきの際に、導電体の細孔を通じてこれらのバリスタ層と各内部電極との界面における隙間にめっき液が侵入し、毛細管現象によってその隙間にめっき液が浸透してしまうことがある。
【００１２】
ところで、バレルめっきでは、バレル内のめっき液中で積層体及びダミーメディアを共に攪拌しつつアノード極（陽極）とカソード極（陰極）との間に電流を流すことにより、アノード極側のめっき用金属を、ダミーメディアを介してカソード極と接続されている導電体の表面にめっきしている。このとき、バリスタ層と各内部電極との界面における隙間にめっき液が侵入しているから、導電体に対してめっきが行われるのと同時に、隙間に侵入しているめっき液中に水素が発生することとなる。そうすると、水素が極めて高い還元性を有するために、めっき液が侵入した部分において、バリスタ層を構成しているＺｎＯ粒子の粒界におけるショットキー障壁がその還元作用によって損なわれてしまう。その結果、特に、各対向領域においてショットキー障壁が損なわれることにより、電圧非直線性が劣化してしまうことがあった。
【００１３】
しかしながら、上述のように、第１及び第２の対向領域が、機能層の積層方向から見たときに第１の外表面と第２の外表面との間の中間位置と第２の外表面との間の領域に共に位置しているから、めっき液が侵入してくる第１の外表面から離れるように第１及び第２の対向領域を配置することができる。同じく、第３及び第４の対向領域が、機能層の積層方向から見たときに第１の外表面と第２の外表面との間の中間位置と第１の外表面との間の領域に共に位置しているから、めっき液が侵入してくる第２の外表面から離れるように第３及び第４の対向領域を配置することができる。その結果、めっき液の侵入による電圧非直線性の劣化を抑制することが可能となる。
【００１４】
また、第１の内部電極は、第１の外表面に引き出されるように伸びる第１の引き出し導体を介して第１の外部電極と電気的に接続され、第２の内部電極は、第１の外表面に引き出されるように伸びる第２の引き出し導体を介して第２の外部電極と電気的に接続され、第３の内部電極は、第１の外表面に引き出されるように伸びる第３の引き出し導体を介して第３の外部電極と電気的に接続され、第４の内部電極は、第２の外表面に引き出されるように伸びる第４の引き出し導体を介して第４の外部電極と電気的に接続され、第５の内部電極は、第２の外表面に引き出されるように伸びる第５の引き出し導体を介して第５の外部電極と電気的に接続され、第６の内部電極は、第２の外表面に引き出されるように伸びる第６の引き出し導体を介して第６の外部電極と電気的に接続され、第１〜第３の引き出し導体における第１の外表面側の端部の幅よりも、第１〜第３の引き出し導体におけるその端部以外の部分の幅が広くなるように設定され、第４〜第６の引き出し導体における第２の外表面側の端部の幅よりも、第４〜第６の引き出し導体におけるその端部以外の部分の幅が広くなるように設定されていることが好ましい。このようにすると、積層体の各外表面に露出する引き出し導体の端部の幅が他の部分よりも狭くなるから、めっき液の積層体内への侵入量が抑制される。また、めっき液が各対向領域に達するまで侵入したとしても、幅が広くなっている各引き出し導体の端部以外の部分においてめっき液が拡散するから、めっき液の積層体内への侵入量が一定である場合には各内部電極の単位面積あたりのめっき液量が少なくなる。そのため、めっき液の侵入による電圧非直線性の劣化をより抑制することが可能となる。
【発明の効果】
【００１５】
本発明によれば、従来よりも小型化を図ることが可能な積層型バリスタアレイを提供することができる。
【発明を実施するための最良の形態】
【００１６】
本発明の好適な実施形態について、図面を参照して説明する。なお、説明において、同一要素又は同一機能を有する要素には同一符号を用いることとし、重複する説明は省略する。
【００１７】
（第１実施形態）
図１及び図２を参照して、第１実施形態に係る積層型バリスタアレイ１００の構成について説明する。図１は、第１実施形態に係る積層型バリスタアレイを示す斜視図である。図２は、第１実施形態に係る積層型バリスタアレイを構成するバリスタ素体の分解斜視図である。
【００１８】
積層型バリスタアレイ１００は、図１に示されるように、略直方体形状のバリスタ素体１０を備えており、バリスタ素体１０によって積層型バリスタアレイ１００の本体が構成されている。
【００１９】
また、積層型バリスタアレイ１００は、バリスタ素体１０の第１の外表面１０ａ上に形成された第１〜第３の外部電極１２Ａ〜１２Ｃと、第２の外表面１０ｂ上に形成された第４〜第６の外部電極１２Ｄ〜１２Ｆとを備えている。第１〜第３の外部電極１２Ａ〜１２Ｃは、後述するバリスタ層Ａ１〜Ａ６の積層方向（以下、単に「積層方向」と称する）に帯状に伸びると共にその両端部が上面１０ｅ及び下面１０ｆに回り込んで形成されている。また、第４〜第６の外部電極１２Ｄ〜１２Ｆは、積層方向に帯状に伸びると共にその両端部が上面１０ｅ及び下面１０ｆに回り込んで形成されている。
【００２０】
各外部電極１２Ａ〜１２Ｆは、バリスタ素体１０の第１及び第２の外表面１０ａ，１０ｂ、上面１０ｅ並びに下面１０ｆにＡｇ、Ｃｕ又はＮｉを主成分とする電極ペーストをそれぞれ転写した後に所定温度（例えば、７００〜８００℃）にて焼き付け、更にバレルめっき等の電気めっきによって例えばＣｕ、Ｎｉ、Ｓｎ等のめっきを施すことにより形成される。なお、第１、第２、第４及び第６の外部電極１２Ａ，１２Ｂ，１２Ｄ，１２Ｅはそれぞれ入出力電極として機能し、第３及び第４の外部電極１２Ｃ，１２Ｆはそれぞれグランド電極として機能する。
【００２１】
バリスタ素体１０は、互いに対向する第１及び第２の外表面１０ａ，１０ｂと、互いに対向する第３及び第４の外表面１０ｃ、１０ｄと、互いに対向する上面１０ｅ及び下面１０ｆとを有しており、これらの各面１０ａ〜１０ｆによって外形が規定されている。バリスタ素体１０では、例えば長手方向の長さを１．６ｍｍ程度、幅を０．８ｍｍ程度、厚みを０．５ｍｍ程度に設定することができる。
【００２２】
バリスタ素体１０は、図２に示されるように、電圧非直線性（以下、「バリスタ特性」と称する）を発現する複数（第１実施形態においては６層）のバリスタ層Ａ１〜Ａ６がシート積層工法によって積層されて形成されている。実際の積層型バリスタアレイ１００では、バリスタ層Ａ１〜Ａ６同士の間の境界が視認できない程度に一体化されている。バリスタ層Ａ１〜Ａ６は、ＺｎＯ（酸化亜鉛）を主成分として含むと共に、副成分として希土類金属元素、Ｃｏ、ＩＩＩｂ族元素（Ｂ、Ａｌ、Ｇａ、Ｉｎ）、Ｓｉ、Ｃｒ、Ｍｏ、アルカリ金属元素（Ｋ、Ｒｂ、Ｃｓ）及びアルカリ土類金属元素（Ｍｇ、Ｃａ、Ｓｒ、Ｂａ）等の金属単体やこれらの酸化物を含む素体からなる。バリスタ層Ａ１〜Ａ６の厚みは、それぞれ３０μｍ程度とすることができる。
【００２３】
バリスタ層Ａ３の表面には、それぞれ略矩形状を呈する第１の内部電極１４Ａ、第２の内部電極１４Ｂ及び第６の内部電極１４Ｆが互いに絶縁されるように形成されている。そのため、各内部電極１４Ａ，１４Ｂ，１４Ｆは、それぞれバリスタ素体１０内に配されることとなる。第１の内部電極１４Ａには、バリスタ素体１０の第１の外表面１０ａとなるバリスタ層Ａ３の端面Ａ３ａに向けて引き出された第１の引き出し導体１６Ａが、その一端に一体的に形成されている。第２の内部電極１４Ｂには、バリスタ層Ａ３の端面Ａ３ａに向けて引き出された第２の引き出し導体１６Ｂが、その一端に一体的に形成されている。第６の内部電極１４Ｆには、バリスタ素体１０の第２の外表面１０ｂとなるバリスタ層Ａ３の端面Ａ３ｂに向けて引き出された第６の引き出し導体１６Ｆが、その中央部に一体的に形成されている。
【００２４】
第１の引き出し導体１６Ａは、第１の内部電極１４Ａと接続されていない他端がバリスタ層Ａ３の端面Ａ３ａに露出しており、第１の外部電極１２Ａと物理的且つ電気的に接続されている。第２の引き出し導体１６Ｂは、第２の内部電極１４Ｂと接続されていない他端がバリスタ層Ａ３の端面Ａ３ａに露出しており、第２の外部電極１２Ｂと物理的且つ電気的に接続されている。第６の引き出し導体１６Ｆは、第６の内部電極１４Ｆと接続されていない他端がバリスタ層Ａ３の端面Ａ３ｂに露出しており、第６の外部電極１２Ｆと物理的且つ電気的に接続されている。そのため、第１の内部電極１４Ａは、第１の引き出し導体１６Ａを介して第１の外部電極１２Ａと電気的に接続され、第２の内部電極１４Ｂは、第２の引き出し導体１６Ｂを介して第２の外部導体１２Ｂと電気的に接続され、第６の内部電極１４Ｆは、第６の引き出し導体１６Ｆを介して第６の外部電極１２Ｆと電気的に接続されることとなる。
【００２５】
バリスタ層Ａ４の表面には、それぞれ略矩形状を呈する第３の内部電極１４Ｃ、第４の内部電極１４Ｄ及び第５の内部電極１４Ｅが互いに絶縁されるように形成されている。そのため、各内部電極１４Ｃ，１４Ｄ，１４Ｅは、それぞれバリスタ素体１０内に配されることとなる。第３の内部電極１４Ｃには、バリスタ素体１０の第１の外表面１０ａとなるバリスタ層Ａ４の端面Ａ４ａに向けて引き出された第３の引き出し導体１６Ｃが、その中央部に一体的に形成されている。第４の内部電極１４Ｄには、バリスタ層Ａ４の端面Ａ４ｂに向けて引き出された第４の引き出し導体１６Ｄが、その一端に一体的に形成されている。第５の内部電極１４Ｅには、バリスタ素体１０の第２の外表面１０ｂとなるバリスタ層Ａ４の端面Ａ４ｂに向けて引き出された第５の引き出し導体１６Ｅが、その一端に一体的に形成されている。
【００２６】
第３の引き出し導体１６Ｃは、第３の内部電極１４Ｃと接続されていない他端がバリスタ層Ａ４の端面Ａ４ａに露出しており、第３の外部電極１２Ｃと物理的且つ電気的に接続されている。第４の引き出し導体１６Ｄは、第４の内部電極１４Ｄと接続されていない他端がバリスタ層Ａ４の端面Ａ４ｂに露出しており、第４の外部電極１２Ｄと物理的且つ電気的に接続されている。第５の引き出し導体１６Ｅは、第５の内部電極１４Ｅと接続されていない他端がバリスタ層Ａ４の端面Ａ４ｂに露出しており、第５の外部電極１２Ｅと物理的且つ電気的に接続されている。そのため、第３の内部電極１４Ｃは、第３の引き出し導体１６Ｃを介して第３の外部電極１２Ｃと電気的に接続され、第４の内部電極１４Ｄは、第４の引き出し導体１６Ｄを介して第４の外部導体１２Ｄと電気的に接続され、第５の内部電極１４Ｅは、第５の引き出し導体１６Ｅを介して第５の外部電極１２Ｅと電気的に接続されることとなる。
【００２７】
ここで、第１の内部電極１４Ａと第３の内部電極１４Ｃとは、バリスタ層Ａ３を介して互いに対向する第１の対向領域１８Ａをそれぞれ有している。第２の内部電極１４Ｂと第３の内部電極１４Ｃとは、バリスタ層Ａ３を介して互いに対向する第２の対向領域１８Ｂをそれぞれ有している。第４の内部電極１４Ｄと第６の内部電極１４Ｆとは、バリスタ層Ａ３を介して互いに対向する第３の対向領域１８Ｃをそれぞれ有している。第５の内部電極１４Ｅと第６の内部電極１４Ｆとは、バリスタ層Ａ３を介して互いに対向する第４の対向領域１８Ｄをそれぞれ有している。第１実施形態においては、第１及び第２の対向領域１８Ａ，１８Ｂが、積層方向から見たときに第１の外表面１０ａと第２の外表面１０ｂとの間の中間位置Ｍと第１の外表面１０ａとの間の領域である第１の領域Ｄ１に位置するようになっている。また、第３及び第４の対向領域１８Ｃ，１８Ｄが、積層方向から見たときに第１の外表面１０ａと第２の外表面１０ｂとの間の中間位置Ｍと第２の外表面１０ｂとの間の領域である第２の領域Ｄ２に位置するようになっている。なお、これらの第１〜第４の対向領域１８Ａ〜１８Ｄは、図２においてそれぞれ斜線で示される部分である。
【００２８】
各内部電極１４Ａ〜１４Ｆ及び各引き出し導体１６Ａ〜１６Ｆは、導電材を含んでいる。各内部電極１４Ａ〜１４Ｆ及び各引き出し導体１６Ａ〜１６Ｆに含まれる導電材としては、特に限定されないが、Ｐｄ又はＡｇ−Ｐｄ合金からなることが好ましい。各内部電極１４Ａ〜１４Ｆ及び各引き出し導体１６Ａ〜１６Ｆでは、その厚みを例えば２μｍ程度とすることができる。
【００２９】
以上のように、第１実施形態に係る積層型バリスタアレイ１００では、第１の外表面１０ａに第１〜第３の外部電極１２Ａ〜１２Ｃが形成されており、第２の外表面１０ｂに第４〜第６の外部電極１２Ｄ〜１２Ｆが形成されている。また、第１の内部電極１４Ａが第１の外部電極１２Ａに電気的に接続され、第２の内部電極１４Ｂが第２の外部電極１２Ｂに電気的に接続され、第３の内部電極１４Ｃが第３の外部電極１２Ｃに電気的に接続され、第４の内部電極１４Ｄが第４の外部電極１２Ｄに電気的に接続され、第５の内部電極１４Ｅが第５の外部電極１２Ｅに電気的に接続され、第６の内部電極１４Ｆが第６の外部電極１２Ｆに電気的に接続されている。そして、第１の内部電極１４Ａと第３の内部電極１４Ｃとは、バリスタ層Ａ３を介して互いに対向する第１の対向領域１８Ａをそれぞれ有しており、第２の内部電極１４Ｂと第３の内部電極１４Ｃとは、バリスタ層Ａ３を介して互いに対向する第２の対向領域１８Ｂをそれぞれ有しており、第４の内部電極１４Ｄと第６の内部電極１４Ｆとは、バリスタ層Ａ３を介して互いに対向する第３の対向領域１８Ｃをそれぞれ有しており、第５の内部電極１４Ｅと第６の内部電極１４Ｆとは、バリスタ層Ａ３を介して互いに対向する第４の対向領域１８Ｄをそれぞれ有している。そのため、第１実施形態に係る積層型バリスタアレイ１００では、第１〜第４の４つの対向領域１８Ａ〜１８Ｄに対して第１〜第６の６つの外部電極１２Ａ〜１２Ｆを備えていればよいこととなり、内部電極対の数の２倍の外部電極が必要であった従来の積層型バリスタアレイに比べて外部電極の数を減らすことができる。その結果、外部電極の数が減った分だけバリスタ素体１０の大きさを小さくすることができ、従来よりも積層型バリスタアレイ１００の小型化を図りつつ、集積化を図ることが可能となる。
【００３０】
（第２実施形態）
続いて、図１及び図３を参照して、第２実施形態に係る積層型バリスタアレイ２００の構成について説明する。図３は、第２実施形態に係る積層型バリスタアレイを構成するバリスタ素体の分解斜視図である。以下では、第１実施形態に係る積層型バリスタアレイ１００との相違点を中心に説明し、重複する説明は省略する。
【００３１】
バリスタ層Ａ２の表面には、それぞれ略矩形状を呈する第１及び第２の内部電極１４Ａ，１４Ｂが互いに絶縁されるように形成されている。第１の内部電極１４Ａには、バリスタ素体１０の第１の外表面１０ａとなるバリスタ層Ａ２の端面Ａ２ａに向けて引き出された第１の引き出し導体１６Ａが、その一端に一体的に形成されている。第２の内部電極１４Ｂには、バリスタ層Ａ２の端面Ａ２ａに向けて引き出された第２の引き出し導体１６Ｂが、その一端に一体的に形成されている。
【００３２】
バリスタ層Ａ３の表面には、略矩形状を呈する第３の内部電極１４Ｃが形成されている。第３の内部電極１４Ｃには、バリスタ素体１０の第１の外表面１０ａとなるバリスタ層Ａ３の端面Ａ３ａに向けて引き出された第３の引き出し導体１６Ｃが、その中央部に一体的に形成されている。
【００３３】
バリスタ層Ａ４の表面には、それぞれ略矩形状を呈する第４及び第５の内部電極１４Ｄ，１４Ｅが互いに絶縁されるように形成されている。第１の内部電極１４Ｄには、バリスタ素体１０の第２の外表面１０ｂとなるバリスタ層Ａ４の端面Ａ４ｂに向けて引き出された第１の引き出し導体１６Ｄが、その一端に一体的に形成されている。第５の内部電極１４Ｅには、バリスタ層Ａ４の端面Ａ４ｂに向けて引き出された第５の引き出し導体１６Ｅが、その一端に一体的に形成されている。
【００３４】
バリスタ層Ａ５の表面には、略矩形状を呈する第６の内部電極１４Ｆが形成されている。第６の内部電極１４Ｆには、バリスタ素体１０の第２の外表面１０ｂとなるバリスタ層Ａ５の端面Ａ５ｂに向けて引き出された第６の引き出し導体１６Ｆが、その中央部に一体的に形成されている。
【００３５】
第２実施形態においては、第１及び第２の対向領域１８Ａ，１８Ｂが、積層方向から見たときに第１の外表面１０ａと第２の外表面１０ｂとの間の中間位置Ｍと第２の外表面１０ｂとの間の領域である第２の領域Ｄ２に位置するようになっている。また、第３及び第４の対向領域１８Ｃ，１８Ｄが、積層方向から見たときに第１の外表面１０ａと第２の外表面１０ｂとの間の中間位置Ｍと第１の外表面１０ａとの間の領域である第１の領域Ｄ１に位置するようになっている。なお、これらの各対向領域１８Ａ〜１８Ｄは、図３においてそれぞれ斜線で示される部分である。
【００３６】
以上のように、第２実施形態に係る積層型バリスタアレイ２００では、第１実施形態に係る積層型バリスタアレイ１００と同様に、従来よりも積層型バリスタアレイ１００の小型化を図りつつ、集積化を図ることが可能となる。
【００３７】
また、第２実施形態に係る積層型バリスタアレイ２００では、第１及び第２の対向領域１８Ａ，１８Ｂが、第２の領域Ｄ２に共に位置している。また、第３及び第４の対向領域１８Ｃ，１８Ｄが、第１の領域Ｄ１に共に位置している。そのため、各対向領域１８Ａ〜１８Ｄは、めっき液が侵入してくる第１の外表面１０ａ又は第２の外表面１０ｂから離れるように、バリスタ素体１０内に配置されることとなる。その結果、各外部電極１２Ａ〜１２Ｆとなる導電体の細孔を介してバリスタ素体１０と各内部電極１４Ａ〜１４Ｆ及び各引き出し導体１６Ａ〜１６Ｆとの界面における隙間にめっき液が侵入してくることによるバリスタ特性の劣化を抑制することが可能となる。
【００３８】
（第３実施形態）
続いて、図１及び図４を参照して、第３実施形態に係る積層型バリスタアレイ３００の構成について説明する。図４は、第３実施形態に係る積層型バリスタアレイを構成するバリスタ素体の分解斜視図である。以下では、第１及び第２実施形態に係る積層型バリスタアレイ１００との相違点を中心に説明し、重複する説明は省略する。
【００３９】
第１〜第３の引き出し導体１６Ａ〜１６Ｃは、第１の外表面１０ａに引き出された第１の外表面１０ａ側の各端部１６Ａａ〜１６Ｃａと、これらの各端部１６Ａａ〜１６Ｃａと第１〜第３の内部電極１４Ａ〜１４Ｃとを接続する各接続部１６Ａｂ〜１６Ｃｂとをそれぞれ有している。また、第４〜第６の引き出し導体１６Ｄ〜１６Ｆは、第２の外表面１０ｂに引き出された第２の外表面１０ｂ側の各端部１６Ｄａ〜１６Ｆａと、これらの各端部１６Ｄａ〜１６Ｆａと第４〜第６の内部電極１４Ｄ〜１４Ｆとを接続する各接続部１６Ｄｂ〜１６Ｆｂとをそれぞれ有している。そして、各引き出し導体１６Ａ〜１６Ｆの各端部１６Ａａ〜１６Ｆａ以外の部分である各接続部１６Ａｂ〜１６Ｆｂの幅は、図４に示されるように、各端部１６Ａａ〜１６Ｆａの幅よりも広くなるように設定されている。
【００４０】
以上のように、第３実施形態に係る積層型バリスタアレイ３００では、第１実施形態に係る積層型バリスタアレイ１００と同様に、従来よりも積層型バリスタアレイ１００の小型化を図りつつ、集積化を図ることが可能となる。
【００４１】
また、第３実施形態に係る積層型バリスタアレイ３００では、第２実施形態に係る積層型バリスタアレイ２００と同様に、バリスタ特性の劣化を抑制することが可能となる。
【００４２】
さらに、第３実施形態に係る積層型バリスタアレイ３００では、各引き出し導体１６Ａ〜１６Ｆの各接続部１６Ａｂ〜１６Ｆｂの幅が、各端部１６Ａａ〜１６Ｆａの幅よりも広くなるように設定されているから、めっき液のバリスタ素体１０内への侵入量を抑制することが可能となる。また、めっき液が各対向領域１８Ａ〜１８Ｄに達するまで侵入したとしても、幅が広くなっている各引き出し導体１６Ａ〜１６Ｆの各接続部１６Ａｂ〜１６Ｆｂにおいてめっき液が拡散するから、めっき液のバリスタ素体１０内への侵入量が一定である場合には各内部電極１４Ａ〜１４Ｆの単位面積あたりのめっき液量が少なくなる。そのため、めっき液の侵入によるバリスタ特性の劣化をより抑制することが可能となる。
【００４３】
以上、本発明の好適な実施形態について詳細に説明したが、本発明は上記した実施形態に限定されるものではない。例えば、第１実施形態に係る積層型バリスタアレイ１００では、第１、第２及び第６の内部電極１４Ａ，１４Ｂ，１４Ｆを同一のバリスタ層Ａ３上に形成し、第３、第４及び第５の内部電極１４Ｃ，１４Ｄ，１４Ｅを同一のバリスタ層Ａ４上に形成したが、これに限られない。すなわち、図５に示されるように、第１及び第２の内部電極１４Ａ，１４Ｂをバリスタ層Ａ２上に形成し、第３の内部電極１４Ｃをバリスタ層Ａ３上に形成し、第４及び第５の内部電極１４Ｄ，１４Ｅをバリスタ層Ａ４上に形成し、第６の内部電極１４Ｆをバリスタ層Ａ５上に形成してもよい。また、図６に示されるように、第１の内部電極１４Ａをバリスタ層Ａ２上に形成し、第３の内部電極１４Ｃをバリスタ層Ａ３上に形成し、第２の内部電極１４Ｂをバリスタ層Ａ４上に形成し、第４の内部電極１４Ｄをバリスタ層Ａ５上に形成し、第６の内部電極１４Ｆをバリスタ層Ａ６上に形成し、第５の内部電極１４Ｅをバリスタ層Ａ７上に形成するものであってもよい。
【００４４】
また、第１実施形態において、第１〜第３の内部電極１４Ａ〜１４Ｃが第１〜第３の引き出し導体１６Ａ〜１６Ｃによってそれぞれ第１の外表面１０ａ側に引き出されていたが、第２の外表面１０ｂ側に引き出されるものであってもよい。さらに、第１実施形態において、第４〜第６の内部電極１４Ｄ〜１４Ｆが第４〜第６の引き出し導体１６Ｄ〜１６Ｆによって第２の外表面１０ｂ側に引き出されていたが、第１の外表面１０ａ側に引き出されるものであってもよい。
【００４５】
また、第１〜第３実施形態ではバリスタ層Ａ１〜Ａ８を積層することでバリスタ素体１０を形成していたが、少なくとも対向領域を形成している内部電極の対によって挟まれる層がバリスタ層となっていればよい。
【００４６】
また、第１〜第３実施形態では第３の内部電極１４Ｃがバリスタ層を介して第１及び第２の内部電極１４Ａ，１４Ｂとそれぞれ対向する第１及び第２の対向領域１８Ａ，１８Ｂを有し、第６の内部電極１４Ｆがバリスタ層を介して第４及び第５の内部電極１４Ｄ，１４Ｅとそれぞれ対向する第３及び第４の対向領域１８Ｃ，１８Ｄを有するものであったが、第３及び第６の内部電極１４Ｃ，１４Ｆが更に他の内部電極と対向することにより３つ以上の対向領域を有するものであってもよい。
【図面の簡単な説明】
【００４７】
【図１】第１実施形態に係る積層型バリスタアレイを示す斜視図である。
【図２】第１実施形態に係る積層型バリスタアレイを構成するバリスタ素体の分解斜視図である。
【図３】第２実施形態に係る積層型バリスタアレイを構成するバリスタ素体の分解斜視図である。
【図４】第３実施形態に係る積層型バリスタアレイを構成するバリスタ素体の分解斜視図である。
【図５】第１実施形態に係る積層型バリスタアレイの変形例を示す斜視図である。
【図６】第１実施形態に係る積層型バリスタアレイの別の変形例を示す斜視図である。
【符号の説明】
【００４８】
１０…バリスタ素体、１０ａ…第１の外表面、１０ｂ…第２の外表面、１２Ａ〜１２Ｆ…第１〜第６の外部電極、１４Ａ〜１４Ｆ…第１〜第６の内部電極、１６Ａ〜１６Ｆ…第１〜第６の引き出し導体、１８Ａ〜１８Ｄ…第１〜第４の対向領域、１００，２００，３００…積層型バリスタアレイ、Ａ１〜Ａ８…バリスタ層、Ｄ１…第１の領域、Ｄ２…第２の領域、Ｍ…中間位置。
【図１】
0004506701.tif 000002
【図２】
0004506701.tif 000003
【図３】
0004506701.tif 000004
【図４】
0004506701.tif 000005
【図５】
0004506701.tif 000006
【図６】
0004506701.tif 000007